(57)【要約】【課題】縦仕切と横仕切とを一体で設けることにより、仕切付包装箱の構成を簡易にして、仕切付包装箱を簡単に組み立てる。【解決手段】仕切片部１６０は、前面部１２０と後面部１３０とを接続し、仕切付包装箱１００が折り畳まれた状態において横方向Ｘに延在し、仕切付包装箱１００が組み立てられた状態において奥行方向Ｙに延在する。仕切片部１６０には、仕切片部１６０の延在方向に沿って第１折り曲げ線Ｌ２３が設けられている。仕切片部１６０は、奥行方向Ｙに延在しつつ縦方向Ｚに沿った起立状態から第１折り曲げ線Ｌ２３を中心として転回した転回状態において、第１折り曲げ線Ｌ２３から横方向Ｘの一方側に向かって突出する少なくとも１つの第１凸部１６１，１６２，１６３、および、第１折り曲げ線Ｌ２３から横方向Ｘの他方側に向かって突出する少なくとも１つの第２凸部１６４，１６５，１６６，１６７，１６８を有する。【選択図】図１０
2018016384.tif 000002
【特許請求の範囲】
【請求項１】
折り畳まれた状態から組み立て可能な仕切付包装箱であって、
前記仕切付包装箱が組み立てられた状態において底面を構成する底面部と、
前記底面部の縁から立設され、前記仕切付包装箱が折り畳まれた状態において互いに横方向にずれて位置して奥行方向に互いの一部が重なっており、前記仕切付包装箱が組み立てられた状態において前記奥行方向に並んで互いに対向する、前面部および後面部と、
前記前面部と前記後面部とを接続し、前記仕切付包装箱が折り畳まれた状態において前記横方向に延在し、前記仕切付包装箱が組み立てられた状態において前記奥行方向に延在する、仕切片部とを備え、
前記仕切片部には、前記仕切片部の延在方向に沿って第１折り曲げ線が設けられており、
前記仕切片部は、前記奥行方向に延在しつつ縦方向に沿った起立状態から前記第１折り曲げ線を中心として転回した転回状態において、前記第１折り曲げ線から前記横方向の一方側に向かって突出する少なくとも１つの第１凸部、および、前記第１折り曲げ線から前記横方向の他方側に向かって突出する少なくとも１つの第２凸部を有する、仕切付包装箱。
【請求項２】
前記仕切片部は、前記前面部と一体のシートで構成されている、請求項１に記載の仕切付包装箱。
【請求項３】
前記仕切片部の前面部側の縁に、前記第１折り曲げ線と交差する第２折り曲げ線が設けられており、
前記第２折り曲げ線の一部は、前記少なくとも１つの第１凸部のうちの最も前記前面部側に位置する１つの第１凸部と接しており、
前記前面部には、前記第１折り曲げ線と前記第２折り曲げ線との交点から、前記第２折り曲げ線の前記一部に対して傾いた方向に延在する、第３折り曲げ線が設けられており、
前記前面部において前記第２折り曲げ線の前記一部と前記第３折り曲げ線とに挟まれている部分は、前記仕切片部が転回した状態において、前記前面部の後面部側に折り返されて、前記１つの第１凸部が前記横方向の前記一方側に突出した状態を保持する、請求項１または請求項２に記載の仕切付包装箱。
【請求項４】
前記仕切片部は、複数の前記第１凸部および複数の前記第２凸部を有し、
前記仕切片部には、前記仕切片部の前記延在方向において互いに隣接する前記第１凸部同士の間に位置する第１切欠部、および、前記仕切片部の前記延在方向において互いに隣接する前記第２凸部同士の間に位置する第２切欠部が設けられている、請求項１から請求項３のいずれか１項に記載の仕切付包装箱。
【請求項５】
互いに対応する前記第１切欠部および前記第２切欠部が、前記仕切片部の前記延在方向と直交する方向に並んでいる、請求項４に記載の仕切付包装箱。
【請求項６】
底面部と、
前記底面部の縁から立設され、奥行方向に並んで互いに対向する、前面部および後面部と、
前記底面部上に位置し、前記奥行方向に延在する仕切片部とを備え、
前記仕切片部は、横方向の一方側に向かって突出している少なくとも１つの第１凸部、および、前記横方向の他方側に向かって突出している少なくとも１つの第２凸部を有する、仕切付包装箱。
【発明の詳細な説明】
【技術分野】
【０００１】
本発明は、仕切付包装箱に関し、特に、組み立て式の仕切付包装箱に関する。
【背景技術】
【０００２】
仕切付包装箱の構成を開示した先行文献として、特開平９−１５０８２５号公報(特許文献１)がある。特許文献１に記載された仕切付包装箱には、前面板の中央部に切り込みにより縦仕切片が設けられている。縦仕切片は、上下方向の折罫線にて後面板側に折り曲げられている。また、仕切付包装箱には、前面板に平行に仕切付包装箱の内部を横に仕切る横仕切片が設けられている。
【先行技術文献】
【特許文献】
【０００３】
【特許文献１】特開平９−１５０８２５号公報
【発明の概要】
【発明が解決しようとする課題】
【０００４】
特許文献１に記載された仕切付包装箱においては、縦仕切片と横仕切片とを別々に設けているため、仕切付包装箱の構成が複雑である。
【０００５】
本発明は上記の問題点に鑑みてなされたものであって、縦仕切と横仕切とを一体で設けることにより、構成が簡易で、簡単に組み立て可能な仕切付包装箱を提供することを目的とする。
【課題を解決するための手段】
【０００６】
本発明の第１局面に基づく仕切付包装箱は、折り畳まれた状態から組み立て可能な仕切付包装箱である。仕切付包装箱は、底面部と、前面部および後面部と、仕切片部とを備える。底面部は、仕切付包装箱が組み立てられた状態において底面を構成する。前面部および後面部は、底面部の縁から立設されている。前面部および後面部は、仕切付包装箱が折り畳まれた状態において互いに横方向にずれて位置して奥行方向に互いの一部が重なっている。前面部および後面部は、仕切付包装箱が組み立てられた状態において上記奥行方向に並んで互いに対向する。仕切片部は、前面部と後面部とを接続し、仕切付包装箱が折り畳まれた状態において上記横方向に延在し、仕切付包装箱が組み立てられた状態において上記奥行方向に延在する。仕切片部には、仕切片部の延在方向に沿って第１折り曲げ線が設けられている。仕切片部は、上記奥行方向に延在しつつ縦方向に沿った起立状態から第１折り曲げ線を中心として転回した転回状態において、第１折り曲げ線から上記横方向の一方側に向かって突出する少なくとも１つの第１凸部、および、第１折り曲げ線から上記横方向の他方側に向かって突出する少なくとも１つの第２凸部を有する。
【０００７】
本発明の一形態においては、仕切片部は、前面部と一体のシートで構成されている。
本発明の一形態においては、仕切片部の前面部側の縁に、第１折り曲げ線と交差する第２折り曲げ線が設けられている。第２折り曲げ線の一部は、少なくとも１つの第１凸部のうちの最も前面部側に位置する１つの第１凸部と接している。前面部には、第１折り曲げ線と第２折り曲げ線との交点から、第２折り曲げ線の上記一部に対して傾いた方向に延在する、第３折り曲げ線が設けられている。前面部において第２折り曲げ線の上記一部と第３折り曲げ線とに挟まれている部分は、仕切片部が転回した状態において、前面部の後面部側に折り返されて、上記１つの第１凸部が上記横方向の上記一方側に突出した状態を保持する。
【０００８】
本発明の一形態においては、仕切片部は、複数の第１凸部および複数の第２凸部を有する。仕切片部には、仕切片部の上記延在方向において互いに隣接する第１凸部同士の間に位置する第１切欠部、および、仕切片部の上記延在方向において互いに隣接する第２凸部同士の間に位置する第２切欠部が設けられている。
【０００９】
本発明の一形態においては、互いに対応する第１切欠部および第２切欠部が、仕切片部の上記延在方向と直交する方向に並んでいる。
【００１０】
本発明の第２局面に基づく仕切付包装箱は、底面部と、底面部の縁から立設され、奥行方向に並んで互いに対向する、前面部および後面部と、底面部上に位置し、上記奥行方向に延在する仕切片部とを備える。仕切片部は、横方向の一方側に向かって突出している少なくとも１つの第１凸部、および、上記横方向の他方側に向かって突出している少なくとも１つの第２凸部を有する。
【発明の効果】
【００１１】
本発明によれば、縦仕切と横仕切とを一体で設けることにより、仕切付包装箱の構成を簡易にして、仕切付包装箱を簡単に組み立てることができる。
【図面の簡単な説明】
【００１２】
【図１】本発明の一実施形態に係る仕切付包装箱を構成するシートの展開図である。
【図２】本発明の一実施形態に係る仕切付包装箱が折り畳まれた状態を示す正面図である。
【図３】本発明の一実施形態に係る仕切付包装箱が組み立てられた状態を示す斜視図である。
【図４】図３の仕切付包装箱を矢印ＩＶ方向から見た正面図である。
【図５】図３の仕切付包装箱を矢印Ｖ方向から見た左側面図である。
【図６】図３の仕切付包装箱を矢印ＶＩ方向から見た右側面図である。
【図７】図３の仕切付包装箱を矢印ＶＩＩ方向から見た平面図である。
【図８】図３の仕切付包装箱を矢印ＶＩＩＩ方向から見た底面図である。
【図９】図３の仕切付包装箱のロック部を拡大して示す斜視図である。
【図１０】本発明の一実施形態に係る仕切付包装箱の仕切片部が転回した状態を示す斜視図である。
【図１１】図１０の仕切付包装箱を矢印ＸＩ方向から見た正面図である。
【図１２】図１０の仕切付包装箱を矢印ＸＩＩ方向から見た左側面図である。
【図１３】図１０の仕切付包装箱を矢印ＸＩＩＩ方向から見た右側面図である。
【図１４】図１０の仕切付包装箱を矢印ＸＩＶ方向から見た平面図である。
【図１５】図１０の仕切付包装箱のロック部を拡大して示す斜視図である。
【図１６】本発明の一実施形態に係る仕切付包装箱に被包装物を収納している状態を示す斜視図である。
【図１７】本発明の一実施形態に係る仕切付包装箱に被包装物を収納した状態を示す斜視図である。
【図１８】図１７の仕切付包装箱に被包装物を収納した状態を矢印ＸＶＩＩＩ方向から見た平面図である。
【発明を実施するための形態】
【００１３】
以下、本発明に基づいた一実施形態における仕切付包装箱について図を参照して説明する。以下の実施形態の説明においては、図中の同一または相当部分には同一符号を付して、その説明は繰返さない。以下に説明する実施形態において、個数、量などに言及する場合、特に記載がある場合を除き、本発明の範囲は必ずしもその個数、量などに限定されない。図においては、実際の寸法比率では記載しておらず、構造の理解を容易にするために、一部比率を異ならせて記載している箇所を有する。
【００１４】
図１は、本発明の一実施形態に係る仕切付包装箱を構成するシートの展開図である。図２は、本発明の一実施形態に係る仕切付包装箱が折り畳まれた状態を示す正面図である。図においては、仕切付包装箱の、横方向をＸ、縦方向をＺ、奥行方向をＹで示している。
【００１５】
図１に示すように、本発明の一実施形態に係る仕切付包装箱は、１枚のシート１００ａから形成されている。ただし、仕切付包装箱の構成は、１枚のシートから形成されている構成に限られず、複数のシートが互いに貼り合わされている構成または互いに組み合わされている構成であってもよい。シート１００ａの材料としては、紙、樹脂、金属、または、これらの複合材料などを用いることができる。
【００１６】
図１，２に示すように、本発明の一実施形態に係る仕切付包装箱１００を構成するシート１００ａは、底面部１１０と、前面部１２０および後面部１３０と、仕切片部１６０とを備える。シート１００ａは、第１側面部１４０および第２側面部１５０をさらに備える。後面部１３０、第１側面部１４０、前面部１２０および第２側面部１５０が、横方向Ｘの一方側に向かってこの順で並んでいる。なお、後面部１３０が第２側面部１５０の横方向Ｘの一方側に位置していてもよい。シート１００ａは、後面部１３０の横方向Ｘの他方側に設けられた糊付け部１３１をさらに備える。
【００１７】
前面部１２０と第１側面部１４０との境界に、折り曲げ線Ｌ１５が設けられている。前面部１２０と第２側面部１５０との境界に、折り曲げ線Ｌ１６が設けられている。後面部１３０と糊付け部１３１との境界に、折り曲げ線Ｌ１７が設けられている。後面部１３０と第１側面部１４０との境界に、折り曲げ線Ｌ１８が設けられている。
【００１８】
底面部１１０は、仕切付包装箱１００が組み立てられた状態において底面を構成する。具体的には、底面部１１０は、第１底面部１１１と第２底面部１１２と第３底面部１１３と第４底面部１１４とから構成されている。
【００１９】
第１底面部１１１は、前面部１２０と隣接している。第２底面部１１２は、後面部１３０と隣接している。第３底面部１１３は、第１側面部１４０と隣接している。第４底面部１１４は、第２側面部１５０と隣接している。
【００２０】
第１底面部１１１と前面部１２０との境界に、折り曲げ線Ｌ１１が設けられている。第２底面部１１２と後面部１３０との境界に、折り曲げ線Ｌ１２が設けられている。第３底面部１１３と第１側面部１４０との境界に、折り曲げ線Ｌ１３が設けられている。第４底面部１１４と第２側面部１５０との境界に、折り曲げ線Ｌ１４が設けられている。
【００２１】
第１底面部１１１の第４底面部１１４側の端部に、糊付け部１１５が設けられている。第１底面部１１１と糊付け部１１５との境界に、折り曲げ線Ｌ１９が設けられている。第１底面部１１１の横方向Ｘの中央かつ縦方向Ｚの他方側の端に、角部１１７が設けられている。角部１１７の根元に、折り曲げ線Ｌ２０が設けられている。
【００２２】
第２底面部１１２の第３底面部１１３側の端部に、糊付け部１１６が設けられている。第２底面部１１２と糊付け部１１６との境界に、折り曲げ線Ｌ２１が設けられている。第２底面部１１２の横方向Ｘの中央かつ縦方向Ｚの他方側の端に、角部１１８が設けられている。角部１１８の根元に、折り曲げ線Ｌ２２が設けられている。なお、底面部１１０の構成は、上記に限られない。
【００２３】
シート１００ａにおいて、仕切片部１６０は、横方向Ｘに延在している。シート１００ａは、仕切片部１６０の横方向Ｘの他方側に設けられた接続部１７０をさらに備える。第１側面部１４０から前面部１２０に亘って切り込み線Ｃ１１が設けられている。仕切片部１６０は、切り込み線Ｃ１１によって、縦方向Ｚにおいて前面部１２０および第１側面部１４０の各々と分離されている。接続部１７０は、切り込み線Ｃ１１によって、第１側面部１４０と分離されている。すなわち、仕切片部１６０および接続部１７０は、前面部１２０と一体のシートで構成されている。
【００２４】
横方向Ｘにおける前面部１２０と仕切片部１６０との境界に、第２折り曲げ線である折り曲げ線Ｌ２４が設けられている。すなわち、仕切片部１６０の前面部１２０側の縁に、折り曲げ線Ｌ２４が設けられている。仕切片部１６０と接続部１７０との境界に、折り曲げ線Ｌ２５が設けられている。
【００２５】
仕切片部１６０には、仕切片部１６０の延在方向(横方向Ｘ)に沿って第１折り曲げ線である折り曲げ線Ｌ２３が設けられている。折り曲げ線Ｌ２３と折り曲げ線Ｌ２４とは、互いに交差している。
【００２６】
仕切片部１６０において、折り曲げ線Ｌ２３に対して縦方向Ｚの一方側に、３つの第１凸部１６１，１６２，１６３が設けられている。３つの第１凸部１６１，１６２，１６３は、折り曲げ線Ｌ２３側の部分にて互いに横方向Ｘに繋がっている。第１凸部１６３、第１凸部１６２および第１凸部１６１が、横方向Ｘの一方側に向かってこの順で並んでいる。すなわち、３つの第１凸部１６１，１６２，１６３のうち、第１凸部１６１が、最も前面部１２０側に位置している。折り曲げ線Ｌ２４の一部Ｌ２４ａは、第１凸部１６１と接している。
【００２７】
前面部１２０には、折り曲げ線Ｌ２３と折り曲げ線Ｌ２４との交点から、折り曲げ線Ｌ２４の一部Ｌ２４ａに対して傾いた方向に延在する、第３折り曲げ線である折り曲げ線Ｌ２６が設けられている。すなわち、前面部１２０には、折り曲げ線Ｌ２４の一部Ｌ２４ａと折り曲げ線Ｌ２６とに挟まれている部分であるロック部１２１が設けられている。なお、ロック部１２１は必ずしも設けられていなくてもよい。
【００２８】
仕切片部１６０には、仕切片部１６０の延在方向(横方向Ｘ)において互いに隣接する第１凸部同士の間に位置する第１切欠部が設けられている。具体的には、第１凸部１６１と第１凸部１６２との間に、第１切欠部ｎ１１が設けられている。第１凸部１６２と第１凸部１６３との間に、第１切欠部ｎ１２が設けられている。第１凸部１６３と接続部１７０との間に、切欠部ｎ１３が設けられている。第１凸部１６３と接続部１７０とは、互いに分離されている。第１切欠部ｎ１１、第１切欠部ｎ１２および切欠部ｎ１３の各々は、仕切片部１６０の延在方向(横方向Ｘ)と直交する方向(縦方向Ｚ)に沿って延びている。第１切欠部ｎ１１および第１切欠部ｎ１２の各々は、折り曲げ線２３に近づくに従って先細となる形状で設けられている。なお、第１切欠部ｎ１１および第１切欠部ｎ１２の各々の形状は、上記に限られない。
【００２９】
仕切片部１６０において、折り曲げ線Ｌ２３に対して縦方向Ｚの他方側に、５つの第２凸部１６４，１６５，１６６，１６７，１６８および固定部１６９が設けられている。第２凸部１６８、第２凸部１６７、第２凸部１６６、第２凸部１６５および第２凸部１６４が、横方向Ｘの一方側に向かってこの順で並んでいる。
【００３０】
仕切片部１６０には、切り込み線Ｃ１２および切り込み線Ｃ１３が設けられている。切り込み線Ｃ１２および切り込み線Ｃ１３の各々の両端は、折り曲げ線Ｌ２３と接している。第２凸部１６４，１６５，１６６と固定部１６９とは、切り込み線Ｃ１２によって互いに分離されている。第２凸部１６７，１６８と固定部１６９とは、切り込み線Ｃ１３によって互いに分離されている。
【００３１】
固定部１６９と３つの第１凸部１６１，１６２，１６３との境界に、折り曲げ線Ｌ２３が位置している。横方向Ｘにおける固定部１６９と前面部１２０との境界に、折り曲げ線Ｌ２４が位置している。横方向Ｘにおける固定部１６９と接続部１７０との境界に、折り曲げ線Ｌ２５が位置している。
【００３２】
５つの第２凸部１６４，１６５，１６６，１６７，１６８は、３つの第１凸部１６１，１６２，１６３と、連続している。具体的には、第２凸部１６４と第１凸部１６１とが互いに繋がっている。第２凸部１６５，１６６と第１凸部１６２とが互いに繋がっている。第２凸部１６７，１６８と第１凸部１６３とが互いに繋がっている。
【００３３】
仕切片部１６０には、仕切片部１６０の延在方向(横方向Ｘ)において互いに隣接する第２凸部同士の間に位置する第２切欠部が設けられている。具体的には、第２凸部１６４と第２凸部１６５との間に、第２切欠部ｎ１４が設けられている。第２凸部１６６と第２凸部１６７との間に、第２切欠部ｎ１５が設けられている。第２凸部１６８と接続部１７０との間に、切欠部ｎ１６が設けられている。第２切欠部ｎ１４、第２切欠部ｎ１５および切欠部ｎ１６の各々は、仕切片部１６０の延在方向(横方向Ｘ)と直交する方向(縦方向Ｚ)に沿って延びている。第２切欠部ｎ１４および第２切欠部ｎ１５の各々は、折り曲げ線２３に近づくに従って先細となる形状で設けられている。なお、第２切欠部ｎ１４および第２切欠部ｎ１５の各々の形状は、上記に限られない。
【００３４】
第２切欠部は、第１切欠部に対応するように設けられている。具体的には、第２切欠部ｎ１４は、第１切欠部ｎ１１に対応しており、第２切欠部ｎ１４と第１切欠部ｎ１１とは、仕切片部１６０の延在方向(横方向Ｘ)と直交する方向(縦方向Ｚ)に並んでいる。第２切欠部ｎ１５は、第１切欠部ｎ１２に対応しており、第２切欠部ｎ１５と第１切欠部ｎ１２とは、仕切片部１６０の延在方向(横方向Ｘ)と直交する方向(縦方向Ｚ)に並んでいる。切欠部ｎ１６は、切欠部ｎ１３に対応しており、切欠部ｎ１６と切欠部ｎ１３とは、仕切片部１６０の延在方向(横方向Ｘ)と直交する方向(縦方向Ｚ)に並んでいる。
【００３５】
本実施形態においては、仕切片部１６０に第１凸部が３つ設けられているが、第１凸部の数は、３つに限られず、１つ以上であればよい。仕切片部１６０に第２凸部が５つ設けられているが、第２凸部の数は、５つに限られず、１つ以上であればよい。
【００３６】
図２に示すように、本発明の一実施形態に係る仕切付包装箱１００の折り畳まれた状態において、糊付け部１３１は、第２側面部１５０の内面に貼り合わされている。糊付け部１１５は、第４底面部１１４の外面に貼り合わされている。糊付け部１１６は、第３底面部１１３の外面に貼り合わされている。接続部１７０は、後面部１３０の内面に貼り合わされている。
【００３７】
底面部１１０は、仕切付包装箱１００が折り畳まれた状態において、第１底面部１１１、第２底面部１１２、第３底面部１１３および第４底面部１１４は、仕切付包装箱１００の内側に折り曲げられて、互いに重なり合っている。第１底面部１１１、第２底面部１１２、第３底面部１１３および第４底面部１１４の各々は、仕切付包装箱１００の内側に折り曲げられた状態において仕切片部１６０と接触しない寸法で形成されている。
【００３８】
前面部１２０および後面部１３０は、底面部１１０の縁から立設されている。前面部１２０および後面部１３０は、仕切付包装箱１００が折り畳まれた状態において互いに横方向Ｘにずれて位置して奥行方向に互いの一部が底面部１１０を挟んで重なっている。具体的には、第１側面部１４０が、後面部１３０と重なり、前面部１２０が、後面部１３０および第２側面部１５０の各々と重なるように、仕切付包装箱１００が折り畳まれている。
【００３９】
仕切片部１６０は、前面部１２０と後面部１３０とを接続している。仕切片部１６０は、仕切付包装箱１００が折り畳まれた状態において横方向Ｘに延在している。
【００４０】
図３は、本発明の一実施形態に係る仕切付包装箱が組み立てられた状態を示す斜視図である。図４は、図３の仕切付包装箱を矢印ＩＶ方向から見た正面図である。図５は、図３の仕切付包装箱を矢印Ｖ方向から見た左側面図である。図６は、図３の仕切付包装箱を矢印ＶＩ方向から見た右側面図である。図７は、図３の仕切付包装箱を矢印ＶＩＩ方向から見た平面図である。図８は、図３の仕切付包装箱を矢印ＶＩＩＩ方向から見た底面図である。図９は、図３の仕切付包装箱のロック部を拡大して示す斜視図である。なお、図３，７においては、底面部の図示を簡略化している。
【００４１】
図３〜９に示すように、仕切付包装箱１００が組み立てられた状態において、底面部１１０は、底面を構成している。具体的には、第１底面部１１１、第２底面部１１２、第３底面部１１３および第４底面部１１４が、互いに係合して組み合わされている。この状態において、角部１１７と角部１１８とは、互いに重なっている。
【００４２】
仕切付包装箱１００が組み立てられた状態において、前面部１２０、後面部１３０、第１側面部１４０および第２側面部１５０は、平面視にて矩形である筒形状を構成している。
【００４３】
仕切付包装箱１００が組み立てられた状態において、仕切片部１６０は、奥行方向Ｙに延在している。仕切片部１６０は、奥行方向Ｙに延在しつつ縦方向Ｚに沿った起立状態となっている。
【００４４】
図１０は、本発明の一実施形態に係る仕切付包装箱の仕切片部が転回した状態を示す斜視図である。図１１は、図１０の仕切付包装箱を矢印ＸＩ方向から見た正面図である。図１２は、図１０の仕切付包装箱を矢印ＸＩＩ方向から見た左側面図である。図１３は、図１０の仕切付包装箱を矢印ＸＩＩＩ方向から見た右側面図である。図１４は、図１０の仕切付包装箱を矢印ＸＩＶ方向から見た平面図である。図１５は、図１０の仕切付包装箱のロック部を拡大して示す斜視図である。なお、図１０，１４においては、底面部の図示を簡略化している。
【００４５】
図１０〜１５に示すように、仕切付包装箱１００の仕切片部１６０が、折り曲げ線Ｌ２３を中心として転回した転回状態において、３つの第１凸部１６１，１６２，１６３は、折り曲げ線Ｌ２３から横方向Ｘの一方側に向かって突出し、５つの第２凸部１６４，１６５，１６６，１６７，１６８は、折り曲げ線Ｌ２３から横方向Ｘの他方側に向かって突出している。３つの第１凸部１６１，１６２，１６３および５つの第２凸部１６４，１６５，１６６，１６７，１６８は、略水平に位置している。固定部１６９は、縦方向Ｚに沿った起立状態を維持している。
【００４６】
図１５に示すように、仕切片部１６０が転回した状態において、ロック部１２１は、前面部１２０の後面部１３０側に折り返されて、第１凸部１６１が横方向Ｘの一方側に突出した状態を保持する。具体的には、仕切片部１６０が転回する際、前面部１２０の折り曲げ線Ｌ２６と接している部分が前面部１２０の外面側に反るように弾性変形した後、ロック部１２１が前面部１２０の後面部１３０側に折り返される。
【００４７】
仕切片部１６０が転回した状態において、前面部１２０は弾性変形した状態を維持しており、前面部１２０の復元力が、ロック部１２１を通じて第１凸部１６１に作用する。その結果、ロック部１２１は、第１凸部１６１が横方向Ｘの一方側に突出した状態を保持する。これにより、仕切片部１６０が転回した状態から起立状態に戻ることを抑制することができる。
【００４８】
上記のように、本実施形態に係る仕切付包装箱１００においては、仕切片部１６０を転回することにより、仕切付包装箱１００内に縦仕切と横仕切とを一体で設けている。具体的には、固定部１６９によって、仕切付包装箱１００内を横方向Ｘにおいて仕切っている。第１凸部および第２凸部によって、仕切付包装箱１００内を奥行方向Ｙにおいて仕切っている。よって、仕切付包装箱１００の構成が簡易であり、仕切付包装箱１００を簡単に組み立てることができる。
【００４９】
以下、本実施形態に係る仕切付包装箱１００に、被包装物の一例を収納した状態について説明する。
【００５０】
図１６は、本発明の一実施形態に係る仕切付包装箱に被包装物を収納している状態を示す斜視図である。図１７は、本発明の一実施形態に係る仕切付包装箱に被包装物を収納した状態を示す斜視図である。図１８は、図１７の仕切付包装箱に被包装物を収納した状態を矢印ＸＶＩＩＩ方向から見た平面図である。
【００５１】
図１６〜１８に示すように、被包装物の一例は、ボトル１０と台紙１１とが一体に構成されている。ボトル１０は、横方向Ｘにおいて台紙１１の一方側にずれて配置されている。なお、被包装物は、上記の形状に限られず、種々の形状を有していてよい。
【００５２】
第１切欠部ｎ１１、第１切欠部ｎ１２および切欠部ｎ１３の各々に、台紙１１の他方側の端部が挿入されるように、３つの被包装物が仕切付包装箱１００内に収容される。第２切欠部ｎ１４、第２切欠部ｎ１５および切欠部ｎ１６の各々に、台紙１１の一方側の端部が挿入されるように、３つの被包装物が仕切付包装箱１００内に収容される。台紙１１は、第１切欠部ｎ１１、第１切欠部ｎ１２、第２切欠部ｎ１４および第２切欠部ｎ１５の各々の先端まで挿入されている。
【００５３】
図１８に示すように、第１切欠部ｎ１１、第１切欠部ｎ１２および切欠部ｎ１３の各々は、仕切付包装箱１００内に収容されたボトル１０と第１凸部１６１，１６２，１６３とが接触しない寸法で形成されている。ただし、仕切付包装箱１００内に収容されたボトル１０と第１凸部１６１，１６２，１６３とが接触する寸法で、第１切欠部ｎ１１、第１切欠部ｎ１２および切欠部ｎ１３の各々が形成されていてもよい。
【００５４】
第２切欠部ｎ１４、第２切欠部ｎ１５および切欠部ｎ１６の各々は、仕切付包装箱１００内に収容されたボトル１０と第２凸部１６４，１６５，１６６，１６７，１６８とが接触しない寸法で形成されている。ただし、仕切付包装箱１００内に収容されたボトル１０と第２凸部１６４，１６５，１６６，１６７，１６８とが接触する寸法で、第２切欠部ｎ１４、第２切欠部ｎ１５および切欠部ｎ１６の各々が形成されていてもよい。
【００５５】
第１切欠部ｎ１１、第１切欠部ｎ１２、第２切欠部ｎ１４および第２切欠部ｎ１５の各々が、折り曲げ線２３に近づくに従って先細となる形状で設けられていることにより、仕切付包装箱１００内に被包装物を収容する際に、台紙１１が第１切欠部ｎ１１，ｎ１２および第２切欠部ｎ１４，ｎ１５の各々に挿入され易くすることができ、また、第１切欠部ｎ１１，ｎ１２および第２切欠部ｎ１４，ｎ１５の各々に挿入された台紙１１を、安定して保持することができる。
【００５６】
第１切欠部ｎ１１、第１切欠部ｎ１２、第２切欠部ｎ１４および第２切欠部ｎ１５の各々の先端まで台紙１１が挿入されていることにより、被包装物が仕切付包装箱１００内でボトル１０の軸方向に回転することを抑制できる。
【００５７】
本実施形態に係る仕切付包装箱１００においては、仕切片部１６０にて、固定部１６９を縦方向Ｚの下方に配置したが、固定部１６９を縦方向Ｚの上方に配置してもよい。すなわち、５つの第２凸部１６４，１６５，１６６，１６７，１６８および固定部１６９が、折り曲げ線Ｌ２３に対して縦方向Ｚの一方側に設けられ、３つの第１凸部１６１，１６２，１６３が、折り曲げ線Ｌ２３に対して縦方向Ｚの他方側に設けられていてもよい。
【００５８】
また、接続部１７０を後面部１３０の内面に貼り合わせたが、これに限られず、たとえば、後面部１３０に孔を設け、当該孔に接続部１７０を挿通させて接続部１７０と後面部１３０とを互いに接続してもよい。仕切片部１６０と前面部１２０とを一体のシートで構成したが、これに限られず、仕切片部１６０と前面部１２０とが別体のシートで構成されていてもよい。すなわち、仕切片部１６０の前面部１２０側の端部が前面部１２０の内面に貼り合わされていてもよい。若しくは、仕切片部１６０が、前面部１２０および後面部１３０の両方に接続されておらず、底面部１１０上で奥行方向Ｙに延在するように載置されていてもよい。その場合、仕切片部１６０が底面部１１０上で安定して姿勢を維持可能なように、仕切片部１６０の下端に横方向に延在する脚部が設けられていてもよい。
【００５９】
さらに、仕切片部１６０が、複数設けられていてもよい。すなわち、仕切付包装箱１００が横方向Ｘにおいて、３つ以上の空間に仕切られていてもよい。仕切片部１６０が、前面部１２０側から後面部１３０側に向けて、斜め上方または斜め下方に延在していてもよい。
【００６０】
また、仕切付包装箱１００に蓋が設けられていてもよい。この場合、蓋が前面部１２０と係合して、仕切付包装箱１００内に被包装物を閉じ込め可能な構成となっていてもよい。
【００６１】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６２】
１０  ボトル、１１  台紙、１００  仕切付包装箱、１００ａ  シート、１１０  底面部、１１１  第１底面部、１１２  第２底面部、１１３  第３底面部、１１４  第４底面部、１１５，１１６，１３１  糊付け部、１１７，１１８  角部、１２０  前面部、１２１  ロック部、１３０  後面部、１４０  第１側面部、１５０  第２側面部、１６０  仕切片部、１６１，１６２，１６３  第１凸部、１６４，１６５，１６６，１６７，１６８  第２凸部、１６９  固定部、１７０  接続部、ｎ１１，ｎ１２  第１切欠部、ｎ１３，ｎ１６  切欠部、ｎ１４，ｎ１５  第２切欠部。
【図１】
2018016384.tif 000003
【図２】
2018016384.tif 000004
【図３】
2018016384.tif 000005
【図４】
2018016384.tif 000006
【図５】
2018016384.tif 000007
【図６】
2018016384.tif 000008
【図７】
2018016384.tif 000009
【図８】
2018016384.tif 000010
【図９】
2018016384.tif 000011
【図１０】
2018016384.tif 000012
【図１１】
2018016384.tif 000013
【図１２】
2018016384.tif 000014
【図１３】
2018016384.tif 000015
【図１４】
2018016384.tif 000016
【図１５】
2018016384.tif 000017
【図１６】
2018016384.tif 000018
【図１７】
2018016384.tif 000019
【図１８】
2018016384.tif 000020